【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
大端部と小端部とを有するコネクティングロッドを一体成形した後、前記大端部の結合孔を一組の拡張具にセットし、前記一組の拡張具を相互に離間させることで、前記大端部をキャップ部とロッド部に破断分割するコネクティングロッドの分割加工装置であって、
基台上に固定された固定ステージと、前記固定ステージと対向配置され水平方向に沿って該固定ステージと接近又は離間自在に設けられた可動ステージとを有し、前記固定ステージに固定されたロッド部側の一方の拡張具と前記可動ステージに固定されて一体的に変位するキャップ部側の他方の拡張具とによって前記コネクティングロッドが所定位置に位置決めされた状態でセットされると共に、セットされた前記コネクティングロッドを保持するワーク位置決め保持機構と、
前記大端部を破断分割するために、前記一組の拡張具を相互に離間させる方向に荷重を付与する荷重機構と、
を備え、
前記ワーク位置決め保持機構は、前記コネクティングロッドの大端部のキャップ部側の両肩部を小端部の方向に向かって押圧する第１支持手段と、前記コネクティングロッドと係合する端部と反対側の前記第１支持手段の端部を上方から押圧することにより該第１支持手段をクランプする第２支持手段とを含み、前記第１支持手段及び第２支持手段は、それぞれ、前記可動ステージに固定されて該可動ステージと一体的に変位可能に設けられることを特徴とするコネクティングロッドの分割加工装置。
【請求項２】
請求項１記載の装置において、
前記第２支持手段は、ピストン及びピストンロッドを有するシリンダからなり、前記ピストンロッドの先端部には、前記第１支持手段の傾斜面に係合する押圧面が形成されたブロック体が連結されることを特徴とするコネクティングロッドの分割加工装置。
【請求項３】
請求項１記載の装置において、
前記大端部の結合孔の内面に一組の拡張具を略圧着させるために、前記一組の拡張具を相互に離間させる方向に予備荷重を付与する予備荷重付与機構が設けられ、前記予備荷重付与機構によって予備荷重が付与された後、前記第２支持手段が付勢されて前記第１支持手段をクランプすることを特徴とするコネクティングロッドの分割加工装置。
【請求項４】
請求項１記載の装置において、
前記荷重機構は、単一のアクチュエータからなることを特徴とするコネクティングロッドの分割加工装置。
【請求項５】
請求項１記載の装置において、
前記ワーク位置決め保持機構は、前記固定ステージ上に設けられ、前記コネクティングロッドの小端部に係合して該小端部を軸線方向に沿った大端部側に向かって押圧する第１ワーク支持部材と、前記第１ワーク支持部材を進退動作させるシリンダとを有することを特徴とするコネクティングロッドの分割加工装置。
【請求項６】
請求項５記載の装置において、
前記第１ワーク支持部材の一端部には、前記コネクティングロッドの小端部に係合する係合部が設けられることを特徴とするコネクティングロッドの分割加工装置。
【請求項７】
請求項１記載の装置において、
前記ワーク位置決め保持機構は、前記固定ステージ上に設けられ、前記コネクティングロッドの大端部の上面部を下方側に向かって押圧する第２ワーク支持部材と、ピンを回動支点として前記第２ワーク支持部材を所定角度揺動させるシリンダとを有することを特徴とするコネクティングロッドの分割加工装置。
【請求項８】
請求項１記載の装置において、
前記基台に連結されたブラケットと、前記ブラケットの側壁部に固定され前記可動ステージ全体を前記コネクティングロッドの軸線方向に沿って変位させるシリンダとが設けられることを特徴とするコネクティングロッドの分割加工装置。
【手続補正２】
【補正対象書類名】明細書
【補正対象項目名】０００９
【補正方法】変更
【補正の内容】
【０００９】
前記の目的を達成するために、本発明は、大端部と小端部とを有するコネクティングロッドを一体成形した後、前記大端部の結合孔を一組の拡張具にセットし、前記一組の拡張具を相互に離間させることで、前記大端部をキャップ部とロッド部に破断分割するコネクティングロッドの分割加工装置であって、
基台上に固定された固定ステージと、前記固定ステージと対向配置され水平方向に沿って該固定ステージと接近又は離間自在に設けられた可動ステージとを有し、前記固定ステージに固定されたロッド部側の一方の拡張具と前記可動ステージに固定されて一体的に変位するキャップ部側の他方の拡張具とによって前記コネクティングロッドが所定位置に位置決めされた状態でセットされると共に、セットされた前記コネクティングロッドを保持するワーク位置決め保持機構と、
前記大端部を破断分割するために、前記一組の拡張具を相互に離間させる方向に荷重を付与する荷重機構と、
を備え、
前記ワーク位置決め保持機構は、前記コネクティングロッドの大端部のキャップ部側の両肩部を小端部の方向に向かって押圧する第１支持手段と、前記コネクティングロッドと係合する端部と反対側の前記第１支持手段の端部を上方から押圧することにより該第１支持手段をクランプする第２支持手段とを含み、前記第１支持手段及び第２支持手段は、それぞれ、前記可動ステージに固定されて該可動ステージと一体的に変位可能に設けられることを特徴とする。
【手続補正３】
【補正対象書類名】明細書
【補正対象項目名】００１０
【補正方法】変更
【補正の内容】
【００１０】
この場合、前記第２支持手段は、ピストン及びピストンロッドを有するシリンダからなり、前記ピストンロッドの先端部には、前記第１支持手段の傾斜面に係合する押圧面が形成されたブロック体が連結されるとよい。
【手続補正４】
【補正対象書類名】明細書
【補正対象項目名】００１１
【補正方法】変更
【補正の内容】
【００１１】
また、前記大端部の結合孔の内面に一組の拡張具を略圧着させるために、前記一組の拡張具を相互に離間させる方向に予備荷重を付与する予備荷重付与機構が設けられ、前記予備荷重付与機構によって予備荷重が付与された後、前記第２支持手段が付勢されて前記第１支持手段をクランプするとよい。さらに、前記荷重機構は、単一のアクチュエータによって構成されるとよい。さらにまた、前記ワーク位置決め保持機構は、前記固定ステージ上に設けられ、前記コネクティングロッドの小端部に係合して該小端部を軸線方向に沿った大端部側に向かって押圧する第１ワーク支持部材と、前記第１ワーク支持部材を進退動作させるシリンダとによって構成されるとよい。またさらに、前記第１ワーク支持部材の一端部に、前記コネクティングロッドの小端部に係合する係合部が設けられるとよい。またさらに、前記ワーク位置決め保持機構は、前記固定ステージ上に設けられ、前記コネクティングロッドの大端部の上面部を下方側に向かって押圧する第２ワーク支持部材と、ピンを回動支点として前記第２ワーク支持部材を所定角度揺動させるシリンダとによって構成されるとよい。またさらに、前記基台に連結されたブラケットと、前記ブラケットの側壁部に固定され前記可動ステージ全体を前記コネクティングロッドの軸線方向に沿って変位させるシリンダとが設けられるとよい。
【手続補正５】
【補正対象書類名】明細書
【補正対象項目名】００１４
【補正方法】変更
【補正の内容】
【００１４】
このようにコネクティングロッドが位置決め保持された状態において、荷重機構を介して一方の拡張具と他方の拡張具とを相互に離間させる。この結果、前記大端部のロッド部が固定ステージ側で固定され、大端部のキャップ部が第１支持手段及び第２支持手段によって強固に固定された状態で可動ステージと一体的に変位することにより、大端部がロッド部とキャップ部とに破断分割される。
【手続補正６】
【補正対象書類名】図面
【補正対象項目名】図３
【補正方法】変更
【補正の内容】
【図３】
2006142467.tif 000001
【手続補正７】
【補正対象書類名】図面
【補正対象項目名】図４
【補正方法】変更
【補正の内容】
【図４】
2006142467.tif 000002
【手続補正８】
【補正対象書類名】図面
【補正対象項目名】図６
【補正方法】変更
【補正の内容】
【図６】
2006142467.tif 000003
【手続補正９】
【補正対象書類名】図面
【補正対象項目名】図１０
【補正方法】変更
【補正の内容】
【図１０】
2006142467.tif 000004